(57)【要約】【課題】大型化することなく、使い勝手のよい測定器用プリンタを提供する。【解決手段】測定器用プリンタ３は、測定結果を出力する測定器２に用いられ、測定器２からの測定結果を入力して測定結果に関する情報を印刷する。この測定器用プリンタ３は、測定結果に関する画像を表示する表示装置３１と、測定結果に関する情報を印刷する印刷装置３２と、測定器２からの測定結果を入力して測定結果を処理するとともに、表示装置３１及び印刷装置３２の動作を制御する制御装置３３とを備える。表示装置３１は、測定結果に関する画像を表示する画像表示部３１３と、画像表示部３１３に対向して配置され、タッチ面を有するサーフェイス部材と、タッチ面上の押圧された位置を検出する位置検出部３１２とを備える。【選択図】図２
2013163350.tif 000002
【特許請求の範囲】
【請求項１】
測定結果を出力する測定器に用いられ、前記測定器からの前記測定結果を入力して前記測定結果に関する情報を印刷する測定器用プリンタであって、
前記測定結果に関する画像を表示する表示装置と、
前記測定結果に関する情報を印刷する印刷装置と、
前記測定器からの前記測定結果を入力して前記測定結果を処理するとともに、前記表示装置及び前記印刷装置の動作を制御する制御装置とを備え、
前記表示装置は、
前記測定結果に関する画像を表示する画像表示部と、
前記画像表示部に対向して配置され、タッチ面を有するサーフェイス部材と、
前記タッチ面上の押圧された位置を検出する位置検出部とを備える
ことを特徴とする測定器用プリンタ。
【請求項２】
請求項１に記載の測定器用プリンタにおいて、
前記画像表示部は、
有機ＥＬ素子の集合体からなる有機ＥＬパネルを含んで構成されている
ことを特徴とする測定器用プリンタ。
【請求項３】
請求項１に記載の測定器用プリンタにおいて、
前記画像表示部は、
電子ペーパーで構成されている
ことを特徴とする測定器用プリンタ。
【請求項４】
測定結果を出力する測定器と、
請求項１から請求項３のいずれかに記載の測定器用プリンタと、
前記測定器及び前記測定器用プリンタを情報の伝送可能に接続する伝送手段とを備える
ことを特徴とする測定システム。
【発明の詳細な説明】
【技術分野】
【０００１】
本発明は、測定結果を出力する測定器に用いられ、測定器からの測定結果を入力して測定結果に関する情報を印刷する測定器用プリンタ、及び測定システムに関する。
【背景技術】
【０００２】
従来、測定結果をデジタル表示するとともに当該測定結果を出力するノギス、マイクロメータ、またはインジケータ等の測定器と、当該測定器からの測定結果を入力して当該測定結果等を印字する測定器用プリンタとを備えた測定装置（測定システム）が知られている（例えば、特許文献１参照）。
特許文献１に記載の測定器用プリンタは、測定結果を表示する表示装置と、各種の入力操作が可能な操作装置と、測定結果を印字する印字装置と、操作装置を介した各種の入力操作に応じて表示装置及び印字装置の動作を制御する処理回路とを備える。
【先行技術文献】
【特許文献】
【０００３】
【特許文献１】特開昭６２−１１０１１９号公報
【発明の概要】
【発明が解決しようとする課題】
【０００４】
しかしながら、特許文献１に記載の測定器用プリンタでは、操作装置は、複数の操作ボタンを有するキーボードで構成されている。
このように操作装置をキーボードで構成した場合には、操作装置及び表示装置を別個に設け、外装筐体外面における別々の位置で使用者に入力操作を促すとともに測定結果等を表示するように構成する必要がある。
ここで、当該操作装置を利用して、使用者に各種の入力操作を行わせるには、操作ボタンを多く設ける必要がある。
そして、操作ボタンを多く設けた場合、すなわち、外装筐体外面において、使用者に入力操作を行わせる操作領域を広く設定した場合には、操作領域を広く設定した分、測定結果等を表示する表示領域を狭く設定する必要がある。このため、測定結果等の表示が見難いものとなり、使い勝手が悪くなる、という問題がある。
また、操作領域を広く設定しながら、測定結果等の表示を見易いものとするために表示領域を広く設定した場合には、測定器用プリンタ自体が大型化してしまう、という問題がある。
【０００５】
本発明の目的は、大型化することなく、使い勝手のよい測定器用プリンタ、及び測定システムを提供することにある。
【課題を解決するための手段】
【０００６】
本発明の測定器用プリンタは、測定結果を出力する測定器に用いられ、前記測定器からの前記測定結果を入力して前記測定結果に関する情報を印刷する測定器用プリンタであって、前記測定結果に関する画像を表示する表示装置と、前記測定結果に関する情報を印刷する印刷装置と、前記測定器からの前記測定結果を入力して前記測定結果を処理するとともに、前記表示装置及び前記印刷装置の動作を制御する制御装置とを備え、前記表示装置は、前記測定結果に関する画像を表示する画像表示部と、前記画像表示部に対向して配置され、タッチ面を有するサーフェイス部材と、前記タッチ面上の押圧された位置を検出する位置検出部とを備えることを特徴とする。
ここで、測定器としては、長さ、距離、角度等の物理量を測定する測定器、例えば、ノギス、マイクロメータ、インジケータ（ダイヤルゲージ）等が例示できる。
【０００７】
本発明では、測定器用プリンタを構成する表示装置は、上述した画像表示部、サーフェイス部材、及び位置検出部を備えた所謂タッチパネルで構成されている。
このことにより、測定器にて測定された測定結果等の他、従来の測定器用プリンタにおける操作ボタンを操作オブジェクトとして画像表示部に表示させることができる。すなわち、画像表示部に表示された操作オブジェクトをタップ（タッチ面上の操作オブジェクトに対応する位置を押圧する）ことで、従来の操作ボタンを押下した時と同様の機能を発揮させることができる。
【０００８】
すなわち、表示装置をタッチパネルで構成することで、使用者に入力操作を行わせる操作領域と、測定結果等を表示する表示領域を同一の領域とすることができる。
このため、従来のように操作装置と表示装置とを別個に設けた構成と比較して、操作領域を広く設定した場合であっても、表示領域が狭くなることがない。
したがって、測定結果等の表示が見易く、使い勝手のよいものとなる。
また、操作領域と表示領域とを同一の領域とすることができるので、測定器用プリンタ自体の大型化を回避しつつ、操作領域及び表示領域の双方を比較的に広く設定できる。
【０００９】
本発明の測定器用プリンタでは、前記画像表示部は、有機ＥＬ（Electro-Luminescence：エレクトロルミネッセンス）素子の集合体からなる有機ＥＬパネルを含んで構成されていることが好ましい。
本発明では、画像表示部は、視野角が広く（１８０°近い視野角）、しかも、自発光である有機ＥＬパネルを含んで構成されているので、視認性の向上が期待できる。
【００１０】
本発明の測定器用プリンタでは、前記画像表示部は、電子ペーパーで構成されていることが好ましい。
本発明では、画像表示部が電子ペーパーで構成されているので、表面基材や背面基材にプラスチックフィルム等を用いれば、曲げても品質を損なうことなく表示できる。
すなわち、曲面等に取り付けることができるので、設計の自由度を向上させることができるとともに、軽量化が図れる。
さらに、電子ペーパーは表示中に電力を消費しないか、または、極小で済む上、書き換え時の消費電力も非常に少ないから、低消費電力化も実現することができる。
【００１１】
本発明の測定システムは、測定結果を出力する測定器と、上述した測定器用プリンタと、前記測定器及び前記測定器用プリンタを情報の伝送可能に接続する伝送手段とを備えることを特徴とする。
本発明の測定システムは、上述した測定器用プリンタを備えるので、上述した測定器用プリンタと同様の作用及び効果を享受できる。
【図面の簡単な説明】
【００１２】
【図１】第１実施形態における測定システムの使用形態を示す斜視図。
【図２】第１実施形態における測定システムの概略構成を示すブロック図。
【図３】第１実施形態における画像表示部の概略構成を示すブロック図。
【図４】第１実施形態における測定器用プリンタの表示動作の一例を示す図。
【図５】第２実施形態における画像表示部の原理を示す図。
【発明を実施するための形態】
【００１３】
[第１実施形態]
以下、本発明の第１実施形態を図面に基づいて説明する。
〔測定システムの構成〕
図１は、第１実施形態における測定システム１の使用形態を示す斜視図である。
図２は、測定システム１の概略構成を示すブロック図である。
測定システム１は、測定器としてのマイクロメータ２と測定器用プリンタ３とを伝送手段としての信号伝送ケーブル４にて接続し、マイクロメータ２にて測定した測定値に基づいて各種の演算処理等を行うとともに、測定値や演算結果等を印刷するシステムである。
【００１４】
〔マイクロメータの構成〕
マイクロメータ２は、図１または図２に示すように、本体２１（図１）と、スピンドル２２（図１）と、デジタル表示器２３と、エンコーダ２４（図２）と、制御装置２５（図２）とを備える。
本体２１は、略Ｕ字形状を有する。
そして、本体２１の一端には、アンビル２１１が固定されている。また、他端には、シンブル２１２が回転可能に取り付けられている。
スピンドル２２は、シンブル２１２の回転動作によって、回転しながら軸方向に移動し、アンビル２１１に対して進退する。
【００１５】
デジタル表示器２３は、図１に示すように、本体２１における他端側に設けられ、制御装置２５による制御の下、エンコーダ２４によって検出されたスピンドル２２の軸方向変位量に基づく測定値を表示する。
エンコーダ２４は、具体的な図示は省略したが、スピンドル２２の回転角（スピンドル２２の軸方向変位量に応じた回転角）に対応する信号が得られるように構成されている。
制御装置２５は、ＣＰＵ(Central Processing Unit)等を有し、エンコーダ２４から出力される信号に基づいて、測定値（アンビル２１１及びスピンドル２２間の距離（被測定物の寸法））を算出する。
そして、制御装置２５は、デジタル表示器２３の動作を制御し、算出した測定値をデジタル表示器２３に表示させる。
また、制御装置２５は、測定器用プリンタ３からの制御指令に応じて、信号伝送ケーブル４を介して、算出した測定値に関する信号を測定器用プリンタ３に出力する。
【００１６】
〔測定器用プリンタの構成〕
測定器用プリンタ３は、図１または図２に示すように、表示装置３１と、印刷装置３２（図２）と、制御装置３３（図２）と、第１〜第３メモリ３４〜３６（図２）とを備える。
表示装置３１は、サーフェイス部材３１１（図１）と、位置検出部としての静電容量シート３１２（図２）と、画像表示部３１３（図２）とを備える。
サーフェイス部材３１１は、透光性材料から構成されたカバーガラス（フィルム）であり、図１に示すように、一方の板面３１１Ａ（以下、タッチ面３１１Ａと記載）が測定器用プリンタ３の外装筐体３Ａ外部に露出し、使用者により操作される部分である。
【００１７】
静電容量シート３１２は、具体的な図示は省略したが、電極層と、制御ＩＣ（Integrated Circuit)を搭載する基板層から構成された透光性を有するシート状部材であり、サーフェイス部材３１１の他方の板面（裏面）に貼り付けられる。
この静電容量シート３１２は、使用者にてタッチ面３１１Ａがタップ（押圧）された際に、サーフェイス部材３１１を介して使用者の指との間でコンデンサを形成し、当該コンデンサがタッチ面３１１Ａ上のどの位置に存在するか（タッチ面３１１Ａ上のどの位置がタップされたか）を微弱な静電容量の変化として検出する。
そして、静電容量シート３１２（制御ＩＣ）は、タッチ面３１１Ａ上のタップされた位置に関する信号を制御装置３３に出力する。
【００１８】
図３は、画像表示部３１３の概略構成を示すブロック図である。
画像表示部３１３は、図３に示すように、有機ＥＬ表示装置で構成されている。
すなわち、画像表示部３１３は、有機ＥＬパネル３１３Ａと、コラムドライバ３１３Ｂと、ロウドライバ３１３Ｃとを備える。
有機ＥＬパネル３１３Ａは、例えば、モノクロ画面から構成され、マトリックス状に配置された複数本ずつの信号線と走査線との各交点に、画素としての有機ＥＬ素子がそれぞれ配置された構成を有する。
【００１９】
そして、制御装置３３（後述する表示制御部３３４）による制御の下、コラムドライバ３１３Ｂが信号線に、また、ロウドライバ３１３Ｃが走査線に電圧を同時に印加すると、その交点に配置された有機ＥＬ素子が発光される。発光した部分が白色に、発光していない部分が黒色となる白黒の２色で画像が表示される。
因みに、このような有機ＥＬパネルの駆動方式は、「単純マトリックス方式」あるいは「パッシブマトリックス方式」と称されている。
【００２０】
印刷装置３２は、制御装置３３による制御の下、記録用紙ＲＰ（図１）に画像を印刷する部分である。
この印刷装置３２は、具体的な図示は省略したが、ロール状の記録用紙ＲＰに画像を印刷する印刷部と、記録用紙ＲＰを送り出し（回転させ）、外装筐体３Ａに形成された送出口３Ｂから外装筐体３Ａ外部に送出する駆動ローラ等を備える。
【００２１】
制御装置３３は、ＣＰＵ等を有し、測定器用プリンタ３全体を制御する部分であり、図２に示すように、操作判定部３３１と、データ取得部３３２と、演算処理部３３３と、表示制御部３３４と、印刷制御部３３５とを備える。
操作判定部３３１は、静電容量シート３１２から出力される信号に基づいて、使用者による表示装置３１（タッチパネル）への入力操作を判定する。
データ取得部３３２は、操作判定部３３１による判定結果に応じて、信号伝送ケーブル４を介してマイクロメータ２にて測定された測定値を取得する。そして、データ取得部３３２は、取得した測定値を第１メモリ３４に記憶させる。
【００２２】
演算処理部３３３は、操作判定部３３１による判定結果に応じて、第１メモリ３４に記憶された測定値に基づいて、各種の演算処理を行う。
表示制御部３３４は、表示装置３１（画像表示部３１３）の動作を制御する。
印刷制御部３３５は、印刷装置３２の動作を制御する。
第１メモリ３４は、データ取得部３３２にて取得された測定値や、演算処理部３３３による演算結果等を記憶する。
第２メモリ３５は、画像表示部３１３に表示させるための表示用の画像データを記憶する。
第３メモリ３６は、印刷装置３２に印刷させるための印刷用の画像データを記憶する。
【００２３】
〔測定器用プリンタの表示動作〕
図４は、測定器用プリンタ３の表示動作の一例を示す図である。具体的に、図４（Ａ）は、測定値が取り込まれた後に画像表示部３１３に表示される画像Ｆｇ１を示す図である。図４（Ｂ）は、画像Ｆｇ１が表示されている際に使用者により表示装置３１に入力操作が行われた後の画像Ｆｇ２を示す図である。図４（Ｃ）は、画像Ｆｇ２が表示されている際に使用者により表示装置３１に入力操作が行われた後の画像Ｆｇ３を示す図である。
次に、上述した測定器用プリンタ３の表示動作の一例について説明する。
なお、以下では、説明の便宜上、既に１０５個の測定値が測定器用プリンタ３に取り込まれ（データ取得部３３２にて取得され）、取り込んだ順番（１番〜１０５番）に関連付けられた１０５個の測定値が第１メモリ３４に記憶されているものとする。
【００２４】
表示制御部３３４は、測定値が取り込まれた後、図４（Ａ）に示す画像Ｆｇ１を画像表示部３１３に表示させる。
すなわち、表示制御部３３４は、図４（Ａ）に示すように、第１メモリ３４に記憶された最新の測定値ＭＶ（１０５番に関連付けられた測定値）の他、第１〜第４操作オブジェクトＯＢ１〜ＯＢ４を含んだ表示用の画像データを生成し、第２メモリ３５に記憶させる。そして、表示制御部３３４は、第２メモリ３５に記憶された表示用の画像データに基づく画像Ｆｇ１を画像表示部３１３に表示させる。
【００２５】
ここで、第１〜第４操作オブジェクトＯＢ１〜ＯＢ４は、使用者による表示装置３１への入力操作（タップ）の対象となるものである。なお、後述する第５〜第８操作オブジェクトＯＢ５〜ＯＢ８、チェックボックスＣＢ、及びスクロールバーＳＢも同様である。
「ＦＥＥＤ」の文字が付された第１操作オブジェクトＯＢ１は、記録用紙ＲＰを送り出すための操作オブジェクトである。
「ＤＡＴＡ」の文字が付された第２操作オブジェクトＯＢ２は、測定値を取り込むための操作オブジェクトである。
「ＰＲＩＮＴ」の文字が付された第３操作オブジェクトＯＢ３は、印刷を実行するための操作オブジェクトである。
「ＭＯＤＥ」の文字が付された第４操作オブジェクトＯＢ４は、図４（Ｂ）に示す各種のモードを使用者に選択させるための操作オブジェクトである。
【００２６】
そして、操作判定部３３１は、以下に示すように、使用者による表示装置３１への入力操作を判定する。
すなわち、操作判定部３３１は、静電容量シート３１２から出力される信号に基づいて、タッチ面３１１Ａ上のタップされた位置（座標）を認識する。
また、操作判定部３３１は、タップされた位置に対応する画像Ｆｇ１中の画素位置を認識し、当該画素位置と第１〜第４操作オブジェクトＯＢ１〜ＯＢ４の画素位置とを比較し、第１〜第４操作オブジェクトＯＢ１〜ＯＢ４がタップされたか否かを判定する。
【００２７】
そして、操作判定部３３１にて第１〜第４操作オブジェクトＯＢ１〜ＯＢ４がタップされたと判定された場合には、制御装置３３は、以下に示す処理を実行する。
第１操作オブジェクトＯＢ１（「ＦＥＥＤ」の文字）がタップされたと判定された場合には、印刷制御部３３５は、印刷装置３２（駆動ローラ）の動作を制御して、記録用紙ＲＰを送り出す。
また、第２操作オブジェクトＯＢ２（「ＤＡＴＡ」の文字）がタップされたと判定された場合には、データ取得部３３２は、信号伝送ケーブル４を介してマイクロメータ２にて測定された測定値を取得し、第１メモリ３４に記憶させる。
さらに、第３操作オブジェクトＯＢ３（「ＰＲＩＮＴ」の文字）がタップされたと判定された場合には、印刷制御部３３５は、印刷用の画像データ（例えば、測定された順番（１０５番）と測定値とを含む画像データ）を生成して第３メモリ３６に記憶させるとともに、当該印刷用の画像データに基づく画像を印刷装置３２に印刷させる。
【００２８】
また、第４操作オブジェクトＯＢ４（「ＭＯＤＥ」の文字）がタップされたと判定された場合には、表示制御部３３４は、図４（Ｂ）に示す画像Ｆｇ２を画像表示部３１３に表示させる。
すなわち、表示制御部３３４は、図４（Ｂ）に示すように、各種（本実施形態では、５種類）のモードを示す文字情報Ｃ１〜Ｃ５の他、５個のチェックボックスＣＢと、第５，第６オブジェクトＯＢ５，ＯＢ６とを含んだ表示用の画像データを生成し、第２メモリ３５に記憶させる。そして、表示制御部３３４は、第２メモリ３５に記憶された表示用の画像データに基づく画像Ｆｇ２を画像表示部３１３に表示させる。
【００２９】
ここで、図４（Ｂ）に示すチェックボックスＣＢは、使用者にモードを選択させるために用いられる。
なお、図４（Ｂ）に示す例では、使用者に「取得データ履歴確認」のモードが選択された状態（「取得データ履歴確認」のモードを示す文字情報Ｃ１の隣りに表示されたチェックボックスＣＢがタップされた状態）を示している。
すなわち、表示制御部３３４は、チェックボックスＣＢがタップされた場合（操作判定部３３１にてチェックボックスＣＢがタップされたと判定された場合）には、当該チェックボックスＣＢ内にチェックマーク「×」を付けた表示用の画像データを生成し、当該表示用の画像データに基づく画像Ｆｇ２を画像表示部３１３に表示させる。
【００３０】
「ＣＡＮＣＥＬ」の文字が付された第５操作オブジェクトＯＢ５は、５種類のモードの選択を中止し、図４（Ａ）の画像に表示を戻すための操作オブジェクトである。
すなわち、表示制御部３３４は、操作判定部３３１にて第５操作オブジェクトＯＢ５がタップされたと判定された場合には、上述したような処理を実行し、画像Ｆｇ１を画像表示部３１３に表示させる。
【００３１】
「ＳＥＴ」の文字が付された第６操作オブジェクトＯＢ６は、５種類のモードのいずれかの選択を確定するための操作オブジェクトである。
そして、５種類のモードのいずれかが選択されるとともに、操作判定部３３１にて第６操作オブジェクトＯＢ６がタップされたと判定された場合には、制御装置３３は、以下に示す処理を実行する。
「統計処理」のモードが選択されていた場合には、演算処理部３３３は、第１メモリ３４に記憶された１０５個の測定値に基づいて、統計処理を実行する。そして、演算処理部３３３は、処理結果を第１メモリ３４に記憶させる。
また、表示制御部３３４は、第１メモリ３４に記憶された測定値や処理結果に基づいて、ヒストグラム等のグラフを含んだ表示用の画像データを生成し、当該表示用の画像データに基づく画像を画像表示部３１３に表示させる。
【００３２】
また、「データ編集」のモードが選択されていた場合には、制御装置３３は、第１メモリ３４に記憶されている測定値の編集を実行する。
例えば、制御装置３３は、図４（Ｃ）に示すような画像Ｆｇ３を画像表示部３１３に表示させ、使用者による表示装置３１への入力操作に応じて、選択された測定値を削除する等の編集を実行する。
さらに、「取得データ外部出力」のモードが選択されていた場合には、制御装置３３は、データ出力端子ＣＮ（図１）に接続された信号伝送ケーブル（図示略）を介して、外部のＰＣ(Personal Computer)に、第１メモリ３４に記憶されている測定値を出力する。
また、「取得全データ削除」のモードが選択されていた場合には、制御装置３３は、第１メモリ３４に記憶されている全ての測定値を削除する。
【００３３】
さらに、「取得データ履歴確認」のモードが選択されていた場合には、表示制御部３３４は、図４（Ｃ）に示す画像Ｆｇ３を画像表示部３１３に表示させる。
すなわち、表示制御部３３４は、図４（Ｃ）に示すように、第１メモリ３４に記憶された全ての測定値ＭＶ（取り込んだ順番も含む）の他、測定値ＭＶのデータ数に応じたチェックボックスＣＢと、スクロールバーＳＢと、第７，第８操作オブジェクトＯＢ７，ＯＢ８とを含んだ画像データを生成し、第２メモリ３５に記憶させる。そして、表示制御部３３４は、第２メモリ３５に記憶された画像データに基づく画像Ｆｇ３を画像表示部３１３に表示させる。
【００３４】
なお、図４（Ｃ）に示す例では、測定値ＭＶのデータ数が１０５個と多いため、８個の測定値ＭＶ（９８番目〜１０５番目に取り込んだ測定値）を表示した状態を示している。
そして、スクロールバーＳＢは、第１メモリ３４に記憶された全ての測定値のうち表示されていない測定値を表示させるものである。
すなわち、表示制御部３３４は、スクロールバーＳＢがタップされた場合（操作判定部３３１にてスクロールバーＳＢがタップされたと判定された場合）には、画像をスクロールする。例えば、図４（Ｃ）に示す例では、当該スクロールによって、９７番目以前の測定値が画像表示部３１３に表示されることとなる。
【００３５】
図４（Ｃ）に示すチェックボックスＣＢは、全ての測定値ＭＶのうち印刷する測定値ＭＶを使用者に選択させるために用いられる。
なお、図４（Ｃ）に示す例では、「９８番目」、「１００番目〜１０３番目」、「１０５番目」の各測定値ＭＶが選択された状態を示している。
【００３６】
「ＳＥＴ」の文字が付された第７操作オブジェクトＯＢ７は、印刷する測定値ＭＶの選択を確定するための操作オブジェクトである。
「ＰＲＩＮＴ」の文字が付された第８操作オブジェクトＯＢ８は、第３操作オブジェクトＯＢ３と同様に、印刷を実行するための操作オブジェクトである。
そして、印刷する測定値ＭＶが選択されるとともに、操作判定部３３１にて第７操作オブジェクトＯＢ７がタップされ、さらに、第８操作オブジェクトＯＢ８がタップされたと判定された場合には、印刷制御部３３５は、以下に示す処理を実行する。
すなわち、印刷制御部３３５は、選択された測定値ＭＶ（図４（Ｃ）の例では、「９８番目」、「１００番目〜１０３番目」、「１０５番目」の各測定値ＭＶ等）を含む印刷用の画像データを生成して第３メモリ３６に記憶させるとともに、当該印刷用の画像データに基づく画像を印刷装置３２に印刷させる。
【００３７】
上述した第１実施形態によれば、以下の効果がある。
本実施形態では、測定器用プリンタ３を構成する表示装置３１は、サーフェイス部材３１１、静電容量シート３１２、及び画像表示部３１３を備えた所謂タッチパネルで構成されている。
このことにより、マイクロメータ２にて測定された測定結果等の他、従来の測定器用プリンタにおける操作ボタンを操作オブジェクトＯＢ１〜ＯＢ８として画像表示部３１３に表示させることができる。すなわち、画像表示部３１３に表示された操作オブジェクトＯＢ１〜ＯＢ８をタップすることで、従来の操作ボタンを押下した時と同様の機能を発揮させることができる。
【００３８】
すなわち、表示装置３１をタッチパネルで構成することで、使用者に入力操作を行わせる操作領域と、測定結果等を表示する表示領域を同一の領域とすることができる。
このため、従来のように操作装置と表示装置とを別個に設けた構成と比較して、操作領域を広く設定した場合であっても、表示領域が狭くなることがない。
したがって、測定結果等の表示が見易く、使い勝手のよいものとなる。
また、操作領域と表示領域とを同一の領域とすることができるので、測定器用プリンタ３自体の大型化を回避しつつ、操作領域及び表示領域の双方を比較的に広く設定できる。
【００３９】
また、表示装置３１をタッチパネルで構成することで、表示すべき画像（例えば、画像Ｆｇ１〜Ｆｇ３）に応じて、適宜、操作オブジェクトＯＢ１〜ＯＢ８を変更できる。
すなわち、従来の測定器用プリンタのように操作装置（操作ボタン）が固定されている構成と比較して、操作オブジェクトＯＢ１〜ＯＢ８の表示位置を変更したり、表示する数を変更したりすることができるので、使い勝手をさらに向上させることができる。
また、機械的な操作ボタンが不要となるため、構造の簡素化が図れる。
【００４０】
さらに、画像表示部３１３は、視野角が広く(１８０°近い視野角)、しかも、自発光である有機ＥＬパネル３１３Ａを含んで構成されているので、視認性の向上が期待できる。
また、有機ＥＬパネル３１３Ａは、有機ＥＬ素子がマトリックス状に配置されたドットマトリックス型であるから、測定結果を数値表示させるだけでなく、多用なデザイン表示を行うことができる。
さらに、測定器用プリンタ３には、「取得データ履歴確認」や「データ編集」等の各種のモード（図４（Ｂ））が設けられているため、間違ってマイクロメータ２から測定値を取り込んでしまった場合であっても、取り込んだ全ての測定値を表示により確認して、不要な測定値を除く有効な測定値のみを印刷でき、使い勝手を一層向上させることができる。
【００４１】
[第２実施形態]
次に、本発明の第２実施形態について説明する。
なお、以下では、前記第１実施形態と同様の構成には同一の符号を付し、その詳細な説明については省略する。
前記第１実施形態では、画像表示部３１３は、有機ＥＬ表示装置で構成されていた。
これに対して第２実施形態では、画像表示部３１３は、電子ペーパー、具体的には電気泳動表示パネルで構成されている。
その他の構成は、前記第１実施形態と同様である。
【００４２】
図５は、第２実施形態における画像表示部３１３の原理を示す図である。
第２実施形態における画像表示部３１３は、図５に示すように、表面基材３１４、共通電極３１５、電気泳動層３１６、画素電極３１７、ＴＦＴ(Thin Film Transistor)回路層３１８、背面基材３１９が順に積層されて構成されている。
表面基材３１４及び背面基材３１９は、透明な樹脂シートで構成されている。
ＴＦＴ回路層３１８には、走査線駆動回路によって駆動されるＴＦＴ回路、具体的にはスイッチングトランジスタ等が設けられている。各トランジスタは、画素毎に設けられた画素電極３１７に接続されている。
共通電極３１５は、ＩＴＯ(Indium Tin Oxid)等の透明な電極材で構成され、画像表示部３１３の略全域に亘って設けられている。
画素電極３１７は、画像表示部３１３の画素毎に設けられている。
【００４３】
電気泳動層３１６は、共通電極に接着された複数のマイクロカプセル３１６Ａを備える。マイクロカプセル３１６Ａには、多数の帯電粒子が分散して電気泳動粒子分散液３１６Ｂが封入されている。電気泳動粒子分散液３１６Ｂには、黒色の電気泳動粒子３１６Ｃ（これを黒色粒子と呼ぶ）と、白色の電気泳動粒子３１６Ｄ（これを白色粒子と呼ぶ）とが分散され、二色の粉体流体方式の電気泳動層が形成されている。これら黒色粒子３１６Ｃ及び白色粒子３１６Ｄは、互いに異なる極性に帯電されている。ここでは、黒色粒子３１６Ｃがマイナス（負）に帯電され、白色粒子３１６Ｄがプラス（正）に帯電されている。
【００４４】
なお、図５は模式図であり、同図に描かれている各層の厚さは、実際の厚さの相対的関係を反映したものではない。実際には、マイクロカプセル３１６Ａを有する電気泳動層３１６は、数十μｍ程度の非常に薄い膜をなすように形成され、一方、共通電極３１５を含む表面基材３１４、あるいは、画素電極３１７やＴＦＴ回路層３１８を含む背面基材３１９の厚みは、それより遥かに厚い層をなすように形成されている。
また、画像表示部３１３の側面は、表面基材３１４及び背面基材３１９に跨って設けられるシール剤等でシールされている。これにより、電気泳動層３１６が密封されている。
【００４５】
マイクロカプセル３１６Ａの黒色粒子３１６Ｃ及び白色粒子３１６Ｄは、共通電極３１５及び画素電極３１７間に電位差を生じさせることで電気泳動が行われる。
いま、画素電極３１７がローレベル、共通電極３１５がハイレベルの場合、その間の電位差によって共通電極３１５から画素電極３１７に向う電界が発生する。すると、正に帯電した白色粒子３１６Ｄが画素電極３１７側に移動され、負に帯電した黒色粒子３１６Ｃが共通電極３１５側に移動されるため、共通電極３１５の電位に比べて画素電極３１７の電位が低い部分は、表面基材３１４側から視認した場合、黒色に表示される。
これとは逆に、画素電極３１７をハイレベル、共通電極３１５をローレベルに切り換えると、電界の向きが逆転するので、表示は白色に表示される。
また、黒色表示や白色表示の状態において、電界印加が停止されると、黒色粒子３１６Ｃや白色粒子３１６Ｄの移動も止まり、そのままの表示色が保持される。
【００４６】
上述した第２実施形態によれば、前記第１実施形態の効果の他、以下の効果がある。
本実施形態では、画像表示部３１３が電子ペーパーで構成されているので、高視認性、フレキシブル性、低消費電力化及び軽量化を達成できる。
すなわち、画像表示部３１３が電子ペーパーで構成されているので、紙と同じように反射光を利用して表示を行うため、視野角が広く、かつ、直射日光にあたっても見易い上、目に対する負担も少ない利点がある。
また、電子ペーパーは紙と同程度の厚みに作ることができる。このため、表面基材３１４や背面基材３１９にプラスチックフィルム等を用いれば、曲げても品質を損なうことなく表示できる。
すなわち、曲面等に取り付けることができるので、設計の自由度を向上させることができるとともに、軽量化が図れる。
さらに、電子ペーパーは表示中に電力を消費しないか、または、極小で済む上、書き換え時の消費電力も非常に少ないから、低消費電力化が実現できる。
【００４７】
なお、本発明は、前記実施形態に限定されるものではなく、本発明の目的を達成できる範囲での変形、改良等は本発明に含まれるものである。
前記各実施形態では、画像表示部３１３として有機ＥＬパネル３１３Ａを含んだ構成や、電子ペーパー等を採用していたが、これに限らない。
例えば、画像表示部３１３としては、入射した光を変調して画像を形成する透過型の液晶表示デバイスと、液晶表示デバイスに対して光を出射するバックライトとを備えた構成を採用しても構わない。
【００４８】
前記各実施形態では、位置検出部として静電容量シート３１２を採用していたが、タッチ面３１１Ａ上のタップされた位置を検出する方式としては、静電容量方式に限らず、その他の方式を採用しても構わない。
例えば、発光素子と受光素子を用いてタッチ面３１１Ａ上にマトリックス状の光軸を形成し、その光軸の遮断の有無によりタッチ面３１１Ａ上のタップされた位置を検出する赤外線方式を採用しても構わない。
また、例えば、透明導電性薄膜付きのシートを対向配置し、タッチ面３１１Ａを触れることによりシートが接触した位置を検出する抵抗膜方式を採用しても構わない。
【００４９】
前記各実施形態では、測定器としてマイクロメータ２を採用し、当該マイクロメータ２の測定結果を測定器用プリンタ３に処理させる構成を説明したが、これに限らない。すなわち、測定器用プリンタ３は、マイクロメータ２以外のノギス、インジケータ等の他の測定器の測定結果も処理可能である。
前記第１実施形態で説明した有機ＥＬパネル３１３Ａとしては、ドットマトリックス型に限らず、他の型で構成しても構わない。
また、有機ＥＬパネル３１３Ａは、モノクロ画像を表示する構成として説明したが、これに限らず、カラー画像を表示する構成としても構わない。
【００５０】
前記第２実施形態で説明した電子ペーパーとしては、電気泳動方式に限らず、例えば、マイクロカプセル方式、電子粉流体方式、液晶方式、エレクトロウエッテイング方式、化学変化方式等であっても構わない。
【産業上の利用可能性】
【００５１】
本発明は、ノギス、マイクロメータ、インジケータ等の測定器からの測定結果を入力して測定結果に関する情報を印刷する測定器用プリンタに利用できる。
【符号の説明】
【００５２】
１・・・測定システム
２・・・マイクロメータ（測定器）
３・・・測定器用プリンタ
４・・・信号伝送ケーブル（伝送手段）
３１・・・表示装置
３２・・・印刷装置
３３・・・制御装置
３１１・・・サーフェイス部材
３１１Ａ・・・タッチ面
３１２・・・静電容量シート（位置検出部）
３１３・・・画像表示部
３１３Ａ・・・有機ＥＬパネル
【図１】
2013163350.tif 000003
【図２】
2013163350.tif 000004
【図３】
2013163350.tif 000005
【図４】
2013163350.tif 000006
【図５】
2013163350.tif 000007